(57)【特許請求の範囲】
【請求項１】
端末がアップリンク信号を４個のアンテナを用いて伝送する方法において、
前記アップリンク信号を３個のレイヤーにマッピングするステップと、
前記３個のレイヤー信号のそれぞれにＤＦＴ拡散を行うステップと、
コードブックから選択された特定プリコーディング行列を用いて前記ＤＦＴ拡散が行われた３個のレイヤー信号をプリコーディングするステップと、
前記プリコーディングされた信号に基づいて、ＳＣ―ＦＤＭＡシンボルを生成するステップと、及び、
前記ＳＣ―ＦＤＭＡシンボルを前記４個のアンテナを介して基地局に伝送するステップと、
を有し、
前記コードブックは、
【数１】
0005587976.tif 000043
のプリコーディング行列グループで構成され、
前記プリコーディング行列グループのそれぞれは、Ｘ∈｛１、−１｝の条件を満足する、アップリンク信号伝送方法。
【請求項２】
前記コードブックは、多重アンテナの伝送電力が均等になるように設定される、請求項１に記載のアップリンク信号伝送方法。
【請求項３】
前記コードブックは、
【数２】
0005587976.tif 000044
のプリコーディング行列で構成され、それぞれには所定定数が掛けられる、請求項１に記載のアップリンク信号伝送方法。
【請求項４】
多重アンテナを介してアップリンク信号を伝送する端末装置において、
信号送受信用の４個のアンテナと、
３個のレイヤー信号を前記４個のアンテナを介して伝送するのに用いられるコードブックを格納するメモリと、及び、
前記多重アンテナ及び前記メモリと接続されて前記アップリンク信号の伝送を処理するプロセッサと、
を有し、
前記プロセッサは、
前記アップリンク信号を前記３個のレイヤーにマッピングするレイヤーマッパーと、
前記３個のレイヤー信号のそれぞれにＤＦＴ拡散を行うＤＦＴモジュールと、
前記メモリに格納された前記コードブックから選択された特定プリコーディング行列を用いて前記ＤＦＴモジュールから受信された前記ＤＦＴ拡散が行われた３個のレイヤー信号をプリコーディングするプリコーダと、及び、
前記プリコーディングされた信号に基づいて、ＳＣ―ＦＤＭＡシンボルを生成し、前記ＳＣ―ＦＤＭＡシンボルを前記４個のアンテナを介して基地局に伝送する伝送モジュールと、
を有し、
前記コードブックは、
【数３】
0005587976.tif 000045
のプリコーディング行列グループで構成され、
前記プリコーディング行列グループのそれぞれは、Ｘ∈｛１、−１｝の条件を満足する、端末装置。
【請求項５】
前記コードブックは、多重アンテナの伝送電力が均等になるように設定される、請求項４に記載の端末装置。
【請求項６】
前記メモリは、前記コードブックとして
【数４】
0005587976.tif 000046
のプリコーディング行列を格納し、それぞれには所定定数が掛けられる、請求項４に記載の端末装置。
【請求項７】
基地局が端末のアップリンク信号を受信する方法において、
前記端末から４個のアンテナ、及び３個のレイヤーを用いて伝送された信号を受信するステップと、及び、
コードブックから選択された特定プリコーディング行列を用いて前記受信信号を処理するステップと、
を有し、
前記コードブックは、
【数５】
0005587976.tif 000047
のプリコーディング行列グループで構成され、Ｘ∈｛１、−１｝の条件を満足し、
前記プリコーディング行列グループのそれぞれは、各々が異なるＸ値を持つ２つのプリコーディング行列を有する、アップリンク信号受信方法。
【請求項８】
前記コードブックは、
【数６】
0005587976.tif 000048
のプリコーディング行列で構成され、それぞれには所定定数が掛けられる、請求項７に記載のアップリンク信号受信方法。
【請求項９】
端末のアップリンク信号を受信する基地局装置において、
信号送受信用のアンテナと、
前記端末の４個のアンテナを介して前記端末から伝送された３個のレイヤー信号を受信するのに用いられるコードブックを格納するメモリと、及び、
前記アンテナ及び前記メモリと接続されて前記アップリンク信号受信を処理するプロセッサと、
を有し、
前記プロセッサは、前記メモリに格納された前記コードブックから選択された特定プリコーディング行列を用いて前記受信信号を処理するように構成され、
前記コードブックは、
【数７】
0005587976.tif 000049
のプリコーディング行列グループで構成され、Ｘ∈｛１、−１｝の条件を満足し、
前記プリコーディング行列グループのそれぞれは、各々が異なるＸ値を持つ２つのプリコーディング行列を有する、基地局装置。
【請求項１０】
前記メモリは、前記コードブックとして
【数８】
0005587976.tif 000050
のプリコーディング行列を格納し、それぞれには所定定数が掛けられる、請求項９に記載の基地局装置。
【発明の詳細な説明】
【技術分野】
【０００１】
本発明は、無線移動通信システムに関するもので、特に、ＭＩＭＯ方式を使用するシステムに関するものである。
【背景技術】
【０００２】
ＭＩＭＯ（Ｍｕｌｔｉ―Ｉｎｐｕｔ  Ｍｕｌｔｉ―Ｏｕｔｐｕｔ）は、複数の送信アンテナと複数の受信アンテナを使用する方法であって、この方法によってデータの送受信効率を向上させることができる。すなわち、無線通信システムの送信端又は受信端で複数のアンテナを使用することによって、容量を増大させ、性能を向上させることができる。以下、本文献では、ＭＩＭＯを「多重アンテナ」と称することができる。
【０００３】
多重アンテナ技術では、一つのメッセージ全体を受信するために単一アンテナ経路に依存しない。その代わりに、多重アンテナ技術では、多くのアンテナを介して受信されたデータの断片を一ヶ所に集めて統合することによってデータを完成する。多重アンテナ技術を使用すると、特定サイズのセル領域内でデータ伝送速度を向上させたり、又は特定データ伝送速度を保障しながらシステムカバレッジを増加させることができる。また、この技術は、移動通信端末と中継器などに幅広く使用することができる。多重アンテナ技術によると、単一アンテナを使用していた従来技術による移動通信での伝送量の限界を克服することができる。
【０００４】
図１は、一般的な多重アンテナ（ＭＩＭＯ）通信システムの構成図である。
【０００５】
送信端にはＮT個の送信アンテナが設置されており、受信端にはＮR個の受信アンテナが設置されている。このように送信端及び受信端に複数のアンテナを使用する場合、送信端及び受信端のうちいずれか一つのみに複数のアンテナを使用する場合に比べて理論的なチャンネル伝送容量が増加する。チャンネル伝送容量の増加はアンテナの数に比例する。したがって、伝送レートが向上し、周波数効率が向上する。一つのアンテナを用いる場合の最大伝送レートをＲoとする場合、多重アンテナを使用するときの伝送レートは、理論的に、前記Ｒoに次のようなレート増加率Ｒiを掛けた分だけ増加し得る。
【０００６】
【数１】
0005587976.tif 000002
【０００７】
例えば、４個の送信アンテナと４個の受信アンテナを用いるＭＩＭＯ通信システムでは、単一アンテナシステムに比べて理論的に４倍の伝送レートを獲得することができる。このような多重アンテナシステムの理論的容量増加が９０年代中頃に証明されて以来、実質的にデータ伝送率を向上させるための多様な技術が現在まで活発に研究されており、これらのうちいくつかの技術は、既に３世代移動通信と次世代無線ＬＡＮなどの多様な無線通信の標準に反映されている。
【０００８】
多重アンテナ技術は、多様なチャンネル経路を通過した各シンボルを用いて伝送信頼度を高める空間ダイバーシティ（又は伝送ダイバーシティ方式）と、多数の送信アンテナを用いて多数のデータシンボルを同時に送信して伝送率を向上させる空間マルチプレキシング方式とに分けることができる。また、このような二つの方式を適宜結合し、それぞれの長所を得ることができる。
【０００９】
多重アンテナ技術と関連して、多様なチャンネル環境及び多重接続環境での多重アンテナ通信容量計算などと関連した情報理論に関する研究、多重アンテナシステムの無線チャンネル測定及びモデル化の研究、及び伝送信頼度向上及び伝送率向上のための時空間信号処理技術研究などの多様な観点で活発に研究が進められている。
【発明の概要】
【発明が解決しようとする課題】
【００１０】
現在、３ＧＰＰ  ＬＴＥ（３rd  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）システムでは、ダウンリンク信号伝送に限って上述したＭＩＭＯ方式を適用している。アップリンク信号伝送にもＭＩＭＯ方式を使用できるが、この場合、ＭＩＭＯ具現のために送信端の構造が変更されることによって、ＰＡＰＲ（Ｐｅａｋ  ｐｏｗｅｒ  ｔｏ  Ａｖｅｒａｇｅ  Ｐｏｗｅｒ  Ｒａｔｉｏ）又はＣＭ（ｃｕｂｉｃ  ｍｅｔｒｉｃ）特性が悪化するおそれがある。したがって、アップリンク信号伝送にＭＩＭＯ方式を効率的に適用するための技術が必要である。
【００１１】
特に、アップリンクランク３伝送に用いられるコードブックにおいて適切な個数のプリコーディング行列を選択すると同時に、各プリコーディング行列間のコーダル距離（Ｃｈｏｒｄａｌ  Ｄｉｓｔａｎｃｅ）を最大にするコードブックの設計が要求される。
【課題を解決するための手段】
【００１２】
上述したような課題を解決するための本発明の一側面では、端末がアップリンク信号を４個のアンテナを用いて伝送する方法において、前記アップリンク信号を３個のレイヤーにマッピングすること；前記３個のレイヤー信号のそれぞれにＤＦＴ（Ｄｉｓｃｒｅｔｅ  Ｆｏｕｒｉｅｒ  Ｔｒａｎｓｆｏｒｍ）拡散を行うこと；予め格納されたコードブックから選択された特定プリコーディング行列を用いて前記ＤＦＴ拡散が行われた３個のレイヤー信号をプリコーディングすること；前記のプリコーディングされた信号にＳＣ―ＦＤＭＡシンボル構成のための処理を行うこと；及び前記ＳＣ―ＦＤＭＡシンボルを前記４個のアンテナを介して基地局に伝送することを含み、前記予め格納されたコードブックは、
【数２】
0005587976.tif 000003
のそれぞれに所定定数が掛けられた形態を有する６個のプリコーディング行列グループで構成されるアップリンク信号伝送方法を提案する（ここで、Ｘは、大きさ１の複素変数である）。
【００１３】
前記予め格納されたコードブックは、前記６個のプリコーディング行列グループのそれぞれで２個のプリコーディング行列を含むことができ、より具体的に、前記予め格納されたコードブックは、前記６個のプリコーディング行列グループのそれぞれで前記Ｘが複素平面上で１８０°の位相差を有する２個のプリコーディング行列を含むことができる。より具体的に、前記予め格納されたコードブックは、前記６個のプリコーディング行列グループのそれぞれで前記Ｘが１であるプリコーディング行列及び前記Ｘが−１であるプリコーディング行列を含むことができる。
【００１４】
望ましく、前記予め格納されたコードブックは、
【数３】
0005587976.tif 000004
の様な１２個のプリコーディング行列のそれぞれに前記所定定数が掛けられたプリコーディング行列で構成することができる。
【００１５】
上述したような課題を解決するための本発明の他の一側面では、多重アンテナを介してアップリンクで信号を伝送する端末装置において、信号送受信用の４個アンテナ；３個のレイヤー信号を前記４個のアンテナを介して伝送するのに用いられるコードブックを格納するメモリ；及び前記多重アンテナ及び前記メモリと連結されて前記アップリンク信号伝送を処理するプロセッサを含み、前記プロセッサは、前記アップリンク信号を前記３個のレイヤーにマッピングするレイヤーマッパー；前記３個のレイヤー信号のそれぞれにＤＦＴ（Ｄｉｓｃｒｅｔｅ  Ｆｏｕｒｉｅｒ  Ｔｒａｎｓｆｏｒｍ）拡散を行うＤＦＴモジュール；前記メモリに格納されたコードブックから選択された特定プリコーディング行列を用いて前記ＤＦＴモジュールからそれぞれＤＦＴ拡散が行われて入力された前記３個のレイヤー信号をプリコーディングするプリコーダ；及び前記のプリコーディングされた信号にＳＣ―ＦＤＭＡシンボル構成のための処理を行い、前記の処理された信号を前記４個のアンテナを介して基地局に伝送する伝送モジュールを含み、前記予め格納されたコードブックは、
【数４】
0005587976.tif 000005
のそれぞれに所定定数が掛けられた形態を有する６個のプリコーディング行列グループで構成される端末装置を提案する（ここで、Ｘは、大きさ１の複素変数である）。
【００１６】
前記メモリは、前記コードブックとして前記６個のプリコーディング行列グループのそれぞれで２個のプリコーディング行列を格納することができ、具体的に、前記メモリは、前記コードブックとして、前記６個のプリコーディング行列グループのそれぞれで前記Ｘが複素平面上で１８０°の位相差を有する２個のプリコーディング行列を格納することができる。より具体的に、前記メモリは、前記コードブックとして、前記６個のプリコーディング行列グループのそれぞれで前記Ｘが１であるプリコーディング行列及び前記Ｘが−１であるプリコーディング行列を格納することができる。
【００１７】
望ましく、前記メモリは、前記コードブックとして
【数５】
0005587976.tif 000006
の様な１２個のプリコーディング行列のそれぞれに前記所定定数が掛けられた各プリコーディング行列を格納することができる。
【００１８】
上述したような課題を解決するための本発明の更に他の一側面では、基地局が端末のアップリンク信号を受信する方法において、前記端末から４個のアンテナ、３個のレイヤーを用いて伝送された信号を受信すること；及び予め格納されたコードブックから選択された特定プリコーディング行列を用いて前記受信信号を処理することを含み、前記予め格納されたコードブックは、
【数６】
0005587976.tif 000007
のそれぞれに所定定数が掛けられた形態を有する６個のプリコーディング行列グループで構成されるアップリンク信号受信方法を提案する（ここで、Ｘは、大きさ１の複素変数である）。
【００１９】
前記予め格納されたコードブックは、
【数７】
0005587976.tif 000008
の様な１２個のプリコーディング行列のそれぞれに前記所定定数が掛けられたプリコーディング行列で構成することができる。
【００２０】
併せて、上述したような課題を解決するための本発明の更に他の一側面では、端末のアップリンク信号を受信する基地局装置において、信号送受信用のアンテナ；前記４個のアンテナを介して伝送された３個のレイヤー信号を受信するのに用いられるコードブックを格納するメモリ；及び前記アンテナ及び前記メモリと連結されて前記アップリンク信号受信を処理するプロセッサを含み、前記プロセッサは、前記メモリに格納されたコードブックから選択された特定プリコーディング行列を用いて前記受信信号を処理するように構成され、前記コードブックは、
【数８】
0005587976.tif 000009
のそれぞれに所定定数が掛けられた形態を有する６個のプリコーディング行列グループで構成される基地局装置を提案する（ここで、Ｘは、大きさ１の複素変数である）。
【００２１】
望ましく、前記メモリは、前記コードブックとして
【数９】
0005587976.tif 000010
の様な１２個のプリコーディング行列のそれぞれに前記所定定数が掛けられたプリコーディング行列を格納することができる。
【発明の効果】
【００２２】
上述したような最適化された４Ｔｘランク３コードブックを用いてアップリンク信号を送受信することによって、少ないシグナリングオーバーヘッドでチャンネル状況を多様に反映することによってアップリンク信号を伝送することができ、ＰＡＰＲ問題も解決することができる。
【図面の簡単な説明】
【００２３】
【図１】一般的な多重アンテナ（ＭＩＭＯ）通信システムの構成図である。
【図２】ＭＩＭＯを使用する送信端の一般的な構造を示した図である。
【図３】図２をより詳細に示した図である。
【図４】各レイヤーの情報がプリコーディングされ、このプリコーディングされた情報がアンテナを介して伝送される過程を示した図である。
【図５】一般的なＳＣ―ＦＤＭＡ方式を説明するための図である。
【図６】コードワードが多数のレイヤーにマッピングされる方法を例示した図である。
【図７】本発明の一実施例として、アンテナ別にＣＭ値を増加させないように、コードワード―レイヤーマッピングが行われた後、レイヤー別にＤＦＴを行う方法を示した図である。
【図８】コーダル距離の概念を説明するための図である。
【図９】本発明の一実施形態に係る６個のプリコーディング行列グループ間のコーダル距離関係を示した図である。
【図１０】同一のプリコーディング行列グループ内の最大コーダル距離を有するための変数条件を説明するための図である。
【図１１】同一のプリコーディング行列グループ内のプリコーディング行列の変数がＱＰＳＫアルファベットを有する場合のコーダル距離関係を説明するための図である。
【図１２】一般的な基地局と端末の構成を説明するための図である。
【図１３】３ＧＰＰ  ＬＴＥシステムでのアップリンク信号伝送のためのＳＣ―ＦＤＭＡ方式とダウンリンク信号伝送のためのＯＦＤＭＡ方式を説明するための図である。
【図１４】３ＧＰＰ  ＬＴＥシステムでのアップリンク信号伝送のためのＳＣ―ＦＤＭＡ方式とダウンリンク信号伝送のためのＯＦＤＭＡ方式を説明するための図である。
【図１５】３ＧＰＰ  ＬＴＥシステムでのアップリンク信号伝送のためのＳＣ―ＦＤＭＡ方式とダウンリンク信号伝送のためのＯＦＤＭＡ方式を説明するための図である。
【図１６】本発明の好適な一実施形態に係る端末のプロセッサの構成を具体的に示した図である。
【発明を実施するための形態】
【００２４】
以下、本発明に係る好適な実施形態を添付の図面を参照して詳細に説明する。添付の図面と共に以下で開示する詳細な説明は、本発明の例示的な実施形態を説明するためのものであって、本発明が実施される唯一の実施形態を示すためのものではない。以下の詳細な説明は、本発明の完全な理解を促進するために具体的な細部事項を含む。しかし、当業者は、本発明がこのような具体的な細部事項がなくても実施され得ることを理解するだろう。例えば、以下では、一定の用語を中心に説明するが、これら用語に限定される必要はなく、任意の用語として称される場合にも同一の意味を示すことができる。また、本明細書全体にわたって同一又は類似する構成要素については、同一の図面符号を使用して説明する。
【００２５】
ＰＡＰＲ（Ｐｅａｋ  ｐｏｗｅｒ  ｔｏ  Ａｖｅｒａｇｅ  Ｐｏｗｅｒ  Ｒａｔｉｏ）は、波形の特性を示すパラメーターである。この値は、波形の最大振幅を波形の時間平均されたＲＭＳ（Ｒｏｏｔ  Ｍｅａｎ  Ｓｑｕａｒｅ）値で割った値であって、無次元（ｄｉｍｅｎｓｉｏｎｌｅｓｓ）値である。一般に、単一キャリア信号のＰＡＰＲは、マルチキャリア信号のＰＡＰＲよりも良好である。
【００２６】
ＬＴＥ―Ａｄｖａｎｃｅｄでは、良好なＣＭ特性を維持するためにＳＣ―ＦＤＭＡ（ｓｉｎｇｌｅ  ｃａｒｒｉｅｒ―ｆｒｅｑｕｅｎｃｙ  ｄｉｖｉｓｉｏｎ  ｍｕｌｔｉｐｌｅ  ａｃｃｅｓｓ）を使用してＭＩＭＯ（ｍｕｌｔｉｐｌｅ  ｉｎｐｕｔ  ｍｕｌｔｉｐｌｅ  ｏｕｔｐｕｔ）を具現することができる。一般的なプリコーディングを使用すると、一つのアンテナを介して多数のレイヤーに該当する情報を載せた信号が多重化されて伝送されるので、このアンテナを介して伝送される信号は、一種のマルチキャリア信号と見なすことができる。ＰＡＰＲは、送信側で電力増幅器がサポートすべきダイナミックレンジ（ｄｙｎａｍｉｃ  ｒａｎｇｅ）と関連しており、ＣＭ（Ｃｕｂｉｃ  Ｍｅｔｒｉｃ）値はＰＡＰＲの代替として使用可能な他の数値である。
【００２７】
図２は、ＭＩＭＯを使用する送信端の一般的な構造を示した図である。
【００２８】
１個又は多数のコードワードは、多数のレイヤーにマッピングされる。マッピングされた情報は、プリコーディングによって各物理アンテナにマッピングされて伝送される。
【００２９】
図３は、図２をより詳細に示した図である。
【００３０】
「コードワード」は、データ情報に各ＣＲＣ（Ｃｙｃｌｉｃ  Ｒｅｄｕｎｄａｎｃｙ  Ｃｈｅｃｋ）ビットを添付した後、これらを特定コーディング方式で符号化したものをいう。コーディング方式としては、ターボコード（ｔｕｒｂｏ  ｃｏｄｅ）、テールバイティング畳み込みコード（ｔａｉｌ  ｂｉｔｉｎｇ  ｃｏｎｖｏｌｕｔｉｏｎ  ｃｏｄｅ）の他に様々なコーディング方式が存在する。各コードワードは一つ以上の（仮想）レイヤーにマッピングされ、このとき、マッピングされるレイヤーの全体個数はランク値になる。すなわち、送信ランクが３であると、伝送されるレイヤーの個数は合計３個になる。各レイヤーにマッピングされた情報は、プリコーディングを経る。ここで、レイヤーにマッピングされているデータ情報は、プリコーディングを通して物理レイヤーにマッピングされる（ここで、「レイヤー」は、特別に物理レイヤーと称されない限り、仮想レイヤーを意味する）。各物理レイヤーを通して各アンテナに情報が伝達される。図３では、他の言及がない限り、プリコーディングは周波数領域で行われ、物理レイヤーにマッピングされた情報にはＯＦＤＭ情報伝送方式が使用される。物理レイヤーにマッピングされた情報が特定周波数領域にマッピングされた後、この情報にはＩＦＦＴ演算が行われ、その後にサイクリック・プレフィックスが付着される。その後、ＲＦチェーン（ｃｈａｉｎ）を通して各アンテナに情報が伝達される。
【００３１】
プリコーディングは、行列を掛ける方式で行うことができる。この行列で、行の個数は、物理レイヤーの個数、すなわち、アンテナの個数と同一であり、列の個数はランク値と同一である。また、ランク値がレイヤーの個数と同一であるので、列の個数はレイヤーの個数と同一である。数学式２を参照すると、（仮想）レイヤーにマッピングされた情報はｘ1、ｘ2であり、４×２行列の各要素ｐijは、プリコーディングに使用される加重値（ｗｅｉｇｈｔ）である。そして、ｙ1、ｙ2、ｙ3、ｙ4は、物理レイヤーにマッピングされる情報であって、各ＯＦＤＭ伝送方式を使用して各アンテナ別に伝送される。
【００３２】
【数１０】
0005587976.tif 000011
【００３３】
以下では、混同しない限り、仮想レイヤーを「レイヤー」と称し、プリコーディングによって仮想レイヤー信号を物理レイヤーにマッピングすることは、直ぐにレイヤーをアンテナにマッピングすることと見なす。
【００３４】
プリコーディングは、大きく二つの方法、すなわち、広帯域プリコーディングとサブバンドプリコーディングに分けることができる。
【００３５】
広帯域プリコーディングは、周波数領域でプリコーディングを行うとき、周波数領域に伝送される全ての情報に同一のプリコーディング行列を使用する方法をいう。
【００３６】
図４は、各レイヤーの情報がプリコーディングされた後、このプリコーディングされた情報がアンテナを介して伝送される過程を示した図である。
【００３７】
図４を参照すると、複数のレイヤーに該当する情報が各周波数領域のサブキャリア別にプリコーディングされ、このプリコーディングされた情報が各アンテナを介して伝送されることが分かる。このとき、広帯域プリコーディングの場合、使用するプリコーディング行列「Ｐ」がいずれも同一である。
【００３８】
サブバンドプリコーディングは、広帯域プリコーディングを拡張したもので、全てのサブキャリアに対して同一のプリコーディング行列を使用せず、サブキャリアごとに多数のプリコーディング行列を使用する方法をいう。すなわち、特定サブキャリアではプリコーディング行列「Ｐ」を使用し、他のサブキャリアではプリコーディング行列「Ｍ」を使用する方法をサブバンドプリコーディングという。ここで、ＰとＭは、互いに異なる要素値を有している行列である。
【００３９】
アップリンク信号伝送の場合、ダウンリンク信号伝送に比べて相対的にＰＡＰＲ又はＣＭ特性に敏感である。これは、ＰＡＰＲ又はＣＭの増加によるフィルター値の上昇が、相対的に端末により致命的な問題をもたらすためである。したがって、アップリンク信号伝送には、一般にＳＣ―ＦＤＭＡ方式が用いられている。
【００４０】
図５は、一般的なＳＣ―ＦＤＭＡ方式を説明するための図である。
【００４１】
ＯＦＤＭ方式及びＳＣ―ＦＤＭＡ方式は、図５に示すように、直列信号を並列信号に変換し、この並列信号をサブキャリアにマッピングし、このマッピングした信号にＩＤＦＴ又はＩＦＦＴ処理を行った後、この信号を再び直列信号に変換し、ＣＰ付着後にＲＦモジュールを通して信号を伝送するという側面で同一である。ただし、ＳＣ―ＦＤＭＡ方式の場合、並列信号を直列信号に変換した後、ＤＦＴ拡散を行うことによって、以後のＩＤＦＴ又はＩＦＦＴ処理の影響を減少させ、単一信号の特性を一定水準以上に維持させることを特徴とする。
【００４２】
一方、アップリンク信号の伝送時にＭＩＭＯ方式を適用する場合にＣＭ値が悪化する理由を説明すると、ＣＭが良好な多数の単一キャリア信号が同時に重畳される場合、重畳された信号のＣＭ値は良好でないおそれがある。そのため、ＳＣ―ＦＤＭＡシステムで、多数のレイヤーから出力される情報を、最大限少ない個数の単一キャリア信号及び一つの物理的アンテナを介して多重化して送信すると、良好なＣＭを有する送信信号を生成することができる。
【００４３】
送信しようとする情報に対してプリコーディングを行う前に、コードワード―レイヤーマッピングを経ることができる。ＳＣ―ＦＤＭＡ方式は、一般に１Ｔｘで使用されたので、レイヤーの個数が１個である。しかし、ＳＣ―ＦＤＭＡでＭＩＭＯをサポートする場合は、レイヤーの個数が多数個になり、一つの伝送ブロックからなるコードワードは多数のレイヤーにマッピングすることができる。
【００４４】
図６は、コードワードが多数のレイヤーにマッピングされる方法を例示した図である。
【００４５】
図６によると、ＳＣ―ＦＤＭＡのためのＤＦＴが行われた後、コードワード―レイヤーマッピングが行われる場合、ＣＭ値が増加し得る。すなわち、ＤＦＴブロックから出力された信号は、ＩＦＦＴ処理以前に他の処理過程、すなわち、２個のレイヤーに分離される過程を経るので、ＣＭ値が増加し得る。
【００４６】
図７は、本発明の一実施例として、アンテナ別にＣＭ値を増加させないように、コードワード―レイヤーマッピングが行われた後、レイヤー別にＤＦＴを行う方法を示した図である。
【００４７】
そのため、ランク値によってレイヤーの個数別にＤＦＴブロックの個数が可変する場合、ＣＭ値を低く維持することができる。すなわち、ＤＦＴブロックから出力された信号は、他の処理過程を経ずに直ちにＩＦＦＴブロックに入力されるので、ＣＭ値を低く維持することができる。実際に具現するときは、一つのＤＦＴブロックを多数のレイヤーが共有することもできる。
【００４８】
また、アップリンク信号伝送にＭＩＭＯ方式を用い、一つのアンテナを介して複数のレイヤー信号が伝送される場合も、ＰＡＰＲ又はＣＭ特性が悪化するおそれがある。したがって、以下で説明する本発明の各実施形態では、一つのアンテナを介して一つのレイヤーのみが伝送されるように設定されたプリコーディング行列を用いるようにコードブックを設計することを提案する。また、適切な個数のプリコーディング行列を含み、コードブック内のプリコーディング行列間のコーダル距離を最大化するようにコードブックを設計する原理について説明する。
【００４９】
このために、以下では、まず、コーダル距離について説明し、アップリンクコードブック、特に４アンテナ、ランク３伝送に用いられるコードブックの設計方法及びこれを用いた信号送受信技法について説明する。
【００５０】
本発明の一実施形態では、下記の表１のような６個のプリコーディング行列グループを用いて４Ｔｘ、ランク３コードブックを生成することを提案する。下記の表１で、等価のプリコーディング行列は同一のＳＩＮＲ値を有するようになる。また、以下の実施形態では、ランク３伝送において、コードワード―レイヤーマッピングが図３に示すように行われると仮定する。すなわち、コードワード１はレイヤー１に、コードワード２はレイヤー２及び３にシンボル単位で均等に分散されてマッピングされると仮定する。
【００５１】
【表１】
0005587976.tif 000012
【００５２】
実際にアップリンク信号の送受信に用いられるプリコーディング行列は、前記表１に示した各プリコーディング行列に特定定数が掛けられた形態を有するが、以下で特別な言及がない限り、便宜上、プリコーディング行列に掛けられる定数は省略する。
【００５３】
一方、特定列間の置換はＳＩＮＲ性能に影響を及ぼさないと仮定する。例えば、プリコーディング行列［Ｃ１，Ｃ２，Ｃ３］を［Ｃ１，Ｃ３，Ｃ２］に変更するとしても、これはコードワードスワッピングに過ぎなく、ＳＩＮＲを変えることはない。したがって、以下では、前記表１の６個のプリコーディング行列グループのそれぞれで「一般コードブック形式（Ｇｅｎｅｒａｌ  Ｃｏｄｅｂｏｏｋ  Ｆｏｒｍ）」のみを説明し、等価プリコーディング行列については説明しない。
【００５４】
一方、前記表１に示した形態のコードブックは、各プリコーディング行列のＸ値によって多様なプリコーディング行列を含むことができる。Ｘ値が１、−１、ｊ及び−ｊのようなＱＰＳＫアルファベットである場合、次のように示すことができる。
【００５５】
【表２】
0005587976.tif 000013
【００５６】
【表３】
0005587976.tif 000014
【００５７】
上述したようなプリコーディング行列全体を４ＴＸ、ランク３コードブックとして用いる方法も可能である。ただし、本発明の好適な一実施形態では、コーダル距離の概念を用いてコードブック内のプリコーディング行列間の最大のコーダル距離を有しながら、最適化された個数のプリコーディング行列を含むコードブックの設計を提案する。
【００５８】
図８は、コーダル距離の概念を説明するための図である。
【００５９】
コーダル距離は、多様なコードブックセットの性能を比較する基準の一つとしてよく知られている。ここで、「コーダル」とは、円周に位置する２個の地点間の直線を示す。したがって、２次元の場合を仮定すると、コーダル距離は、図８に示すように（単位）円の円周上の２地点間の距離を示す。一般に、コーダル距離が互いに長い各プリコーディングを含むコードブックは、互いに異なるチャンネル状態で用いられる多様なプリコーディング行列を含むので望ましい。
【００６０】
４Ｔｘコードブックの場合、４次元のコーダル距離を考慮しなければならないので、次のような数学式を、コードブックセットを選択するためのコーダル距離として用いることができる。
【００６１】
【数１１】
0005587976.tif 000015
【００６２】
【表４】
0005587976.tif 000016
【００６３】
【数１２】
0005587976.tif 000017
ここで、ＡとＢは、各々、ＰとＱに対する直交生成行列である。
【００６４】
上述したコーダル距離の概念を用いて、以下では、４個の伝送アンテナを用いるシステム（４Ｔｘシステム）のランク３に対する上述したコードブックの設計をより具体化してみる。
【００６５】
まず、上述した６個のプリコーディング行列グループの相互間のコーダル距離は、次のように計算することができる。
【００６６】
【表５】
0005587976.tif 000018
【００６７】
【数１３】
0005587976.tif 000019
【００６８】
ここで、Ｘｉは、グループｉに属するプリコーディング行列を示す。
【００６９】
これを用いてグループ１のプリコーディング行列と他のグループのプリコーディング行列との間の差を示すと、次の通りである。
【００７０】
【数１４】
0005587976.tif 000020
【００７１】
また、グループ２のプリコーディング行列と他のグループのプリコーディング行列との間の差を示すと、次の通りである。
【００７２】
【数１５】
0005587976.tif 000021
【００７３】
また、グループ３のプリコーディング行列と他のグループのプリコーディング行列との間の差を示すと、次の通りである。
【００７４】
【数１６】
0005587976.tif 000022
【００７５】
また、グループ４のプリコーディング行列と他のグループのプリコーディング行列との間の差を示すと、次の通りである。
【００７６】
【数１７】
0005587976.tif 000023
【００７７】
最後に、グループ５のプリコーディング行列とグループ６のプリコーディング行列との間の差を示すと、次の通りである。
【００７８】
【数１８】
0005587976.tif 000024
【００７９】
前記数学式６〜１０で、各変数は単位円内に位置することに注目する。また、前記数学式６〜１０は次のように単純化することができる。
【００８０】
【数１９】
0005587976.tif 000025
【００８１】
【数２０】
0005587976.tif 000026
【００８２】
【表６】
0005587976.tif 000027
【００８３】
【数２１】
0005587976.tif 000028
【００８４】
【表７】
0005587976.tif 000029
【００８５】
【数２２】
0005587976.tif 000030
【００８６】
【表８】
0005587976.tif 000031
【００８７】
図９は、本発明の一実施形態に係る６個のプリコーディング行列グループ間のコーダル距離の関係を示した図である。
【００８８】
図９に示した関係を用いて次のような整理を誘導することができる。
【００８９】
【表９】
0005587976.tif 000032
【００９０】
一方、以下では、前記表２に示したプリコーディング行列グループ内のプリコーディング行列間のコーダル距離の関係について説明する。
【００９１】
まず、プリコーディング行列グループ１（Ｇｒ１）内の互いに異なるプリコーディング行列間のコーダル距離は、次の数学式１４のように計算することができる。
【００９２】
【数２３】
0005587976.tif 000033
【００９３】
前記数学式１５から、グループ１内の互いに異なるプリコーディング行列間のコーダル距離は、各プリコーディング行列の変数間の距離に比例することが分かる。したがって、下記の数学式１６に示すように同一グループ内の最大コーダル距離は１になり得る。
【００９４】
【数２４】
0005587976.tif 000034
【００９５】
このような最大のコーダル距離を有するためには、各プリコーディング行列に含まれた変数が図１０に示すような関係を満足しなければならない。
【００９６】
図１０は、同一のプリコーディング行列グループ内の最大コーダル距離を有するための変数条件を説明するための図である。
【００９７】
すなわち、同一グループ内の１８０°の位相差を有する２個の変数を含むプリコーディング行列は、コーダル距離が１になり得る。このような原理は、グループ１以外の他のグループにも同一に適用することができ、次のような整理を誘導することができる。
【００９８】
＜整理２＞
前記表２で同一のプリコーディング行列グループ内の２個のプリコーディング行列間のコーダル距離は、これらプリコーディング行列の変数が互いに１８０°の位相差を有する場合、すなわち、互いに単位円の直径上に位置する場合に獲得することができる。
【００９９】
＜整理２の証明＞
前記数学式１６を通して、グループ１で前記整理２が成立されることが分かり、他のグループに対しても同一の結論に至り得ることが分かる。
【０１００】
前記整理２の応用として、プリコーディング行列グループ１で前記整理２を満足するコードブックサブセットを次のように設計することができる。
【０１０１】
【表１０】
0005587976.tif 000035
【０１０２】
【表１１】
0005587976.tif 000036
【０１０３】
ただし、上述したように最大のコーダル距離を有するように設計されるコードブックは、非常に少ない数のプリコーディング行列を含むことができる。したがって、以下で、各プリコーディング行列グループ内で変数がＱＰＳＫアルファベットである場合を仮定してコーダル距離の関係を整理すると、次に示す通りである。
【０１０４】
【数２５】
0005587976.tif 000037
【０１０５】
図１１は、同一のプリコーディング行列グループ内のプリコーディング行列の変数がＱＰＳＫアルファベットを有する場合のコーダル距離の関係を説明するための図である。
【０１０６】
前記数学式１７及び図１１を通して、次のような整理を誘導することができる。
【０１０７】
【表１２】
0005587976.tif 000038
【０１０８】
＜整理３の証明＞
前記数学式１７を通して整理３を証明することができる。
【０１０９】
【表１３】
0005587976.tif 000039
【０１１０】
＜コーダル距離を最大化する場合＞
本実施形態では、前記整理１〜３から２個のプリコーディング行列間の最大コーダル距離が１である点を考慮し、コーダル距離１の関係を有するプリコーディング行列のみを含むコードブックを設計することを考慮する。
【０１１１】
前記整理１から、６個のグループのうちコーダル距離１を満足する２個のプリコーディング行列グループを選択することができる。一実施例として、前記表１又は２のグループ１とグループ６を選択することができる。また、整理２又は３から、同一グループ内のコーダル距離が１であるプリコーディング行列は、変数が１８０°の位相差を有する２個のプリコーディング行列のみである。これによって、本例では、各グループで変数が（１，−１）の関係を有する２個のプリコーディング行列を選択することを仮定する。これによって生成されるコードブックは、次に示す通りである。
【０１１２】
【表１４】
0005587976.tif 000040
【０１１３】
＜結論１＞
前記表２で２個のプリコーディング行列間のコーダル距離１を満足するコードブックは、４個のプリコーディング行列を含む。
【０１１４】
【表１５】
0005587976.tif 000041
【０１１５】
【表１６】
0005587976.tif 000042
【０１１６】
前記表５は、「コードブック・サブセット（Ｃｏｄｅｂｏｏｋ  Ｓｕｂｓｅｔ）」を示すもので、４アンテナシステムでの全てのランクに対するコードブックのうちランク３に対するサブセットの概念を示したものである。ランク３の観点のみで見ると、１２個のプリコーディング行列を含むコードブックになり得る。
【０１１７】
本実施形態に係る端末は、前記表５に示すようなランク３コードブックの各プリコーディング行列のうち特定プリコーディング行列（表５に電力制御のための所定定数が掛けられた形態）を選択し、これを用いてプリコーディングを行い、信号を伝送することができる。
【０１１８】
一方、以下では、上述したように設計されたコードブックを用いてアップリンク信号を伝送する端末装置及びこの信号を受信する基地局装置について説明する。
【０１１９】
図１２は、一般的な基地局と端末の構成を説明するための図である。
【０１２０】
一般に、基地局１０は、プロセッサ１１、メモリ１２及びアップリンク信号の受信及びダウンリンク信号の伝送を行う送受信モジュールとしてのＲＦモジュール１３を含む。プロセッサ１１は、ダウンリンク信号の伝送のためにメモリ１２に格納された情報、例えば、ダウンリンク信号伝送のためのコードブック内の特定プリコーディング行列を用いてダウンリンク信号の伝送を制御し、また、プリコーディングの逆過程として、アップリンク信号の受信のためにメモリ１２に格納された情報、例えば、アップリンク信号に、端末２０が用いたプリコーディング行列と同一のプリコーディング行列のエルミート（Ｈｅｒｍｉｔｉａｎ）行列を掛けることによって信号受信過程を制御することができる。
【０１２１】
端末２０も、プロセッサ２１、メモリ２２及びアップリンク信号の伝送及びダウンリンク信号の受信のための送受信モジュールとしてのＲＦモジュール２３を含むことができる。プロセッサ２１は、アップリンク信号の伝送のためにメモリ２２に格納された情報、例えば、アップリンク信号伝送のための上述した実施形態で説明したようなコードブック内の特定プリコーディング行列を用いてアップリンク信号の伝送を制御し、また、プリコーディングの逆過程として、ダウンリンク信号の受信のためにメモリ２２に格納された情報、例えば、ダウンリンク信号に、端末２０が用いたプリコーディング行列と同一のプリコーディング行列のエルミート行列を掛けることによって信号受信過程を制御することができる。
【０１２２】
一方、上述した構成のうち端末２０（又は基地局１０）のプロセッサの構成、特に、ＳＣ―ＦＤＭＡ方式で信号を伝送するための構成についてより詳細に説明する。まず、３ＧＰＰ  ＬＴＥシステムでのＳＣ―ＦＤＭＡ方式の信号伝送のためのプロセッサの構成と一般的なＯＦＤＭ方式の信号伝送のためのプロセッサの構成を説明し、本発明の一実施形態によって、端末がＭＩＭＯ方式と結合したＳＣ―ＦＤＭＡ方式でアップリンク信号を伝送できるようにするプロセッサの構成について説明する。
【０１２３】
図１３〜図１５は、ＧＰＰ  ＬＴＥシステムでのアップリンク信号伝送のためのＳＣ―ＦＤＭＡ方式とダウンリンク信号伝送のためのＯＦＤＭＡ方式を説明するための図である。
【０１２４】
まず、図１３を参照すると、アップリンク信号の伝送のためのユーザー機器及びダウンリンク信号の伝送のための基地局は、直列―並列変換器（Ｓｅｒｉａｌ―ｔｏ―Ｐａｒａｌｌｅｌ  Ｃｏｎｖｅｒｔｅｒ）４０１、サブキャリアマッパー４０３、Ｍ―ポイントＩＤＦＴモジュール４０４及び並列―直列変換器（Ｐａｒａｌｌｅｌ―ｔｏ―Ｓｅｒｉａｌ  Ｃｏｎｖｅｒｔｅｒ）４０５などを含むという点で同一である。ただし、ＳＣ―ＦＤＭＡ方式で信号を伝送するためのユーザー機器は、Ｎ―ポイントＤＦＴモジュール４０２をさらに含み、Ｍ―ポイントＩＤＦＴモジュール４０４のＩＤＦＴ処理の影響を一定部分相殺することによって、伝送信号に単一搬送波特性を持たせることを特徴とする。
【０１２５】
図１４では、３ＧＰＰ  ＬＴＥシステム規格を規定しているＴＳ  ３６.２１１に示したアップリンク信号処理過程のためのブロック図と、図１３に示したＳＣ―ＦＤＭＡ方式で信号を伝送するためのプロセッサの構成との関係を示している。ＴＳ  ３６.２１１によると、アップリンク信号の伝送のためにユーザー機器ごとに特定スクランブリングシーケンスを用いて伝送信号にスクランブリングを行い、このスクランブリングされた信号を変調することによって複素シンボルを生成する。その後、各複素シンボルにＤＦＴ拡散処理を行う変換プリコーディングを行うようになる。すなわち、ＴＳ  ３６.２１１で規定する変換プリコーダは、ＮポイントＤＦＴモジュールに対応することができる。その後、このようにＤＦＴ拡散が行われた信号は、資源要素マッパーによって資源ブロック単位のマッピング規則に従って特定資源要素にマッピングされ、これは、図１１でサブキャリアマッパーに対応することが分かる。このように資源要素にマッピングされた信号には、ＳＣ―ＦＤＭＡ信号生成モジュールによってＭポイントＩＤＦＴ又はＩＦＦＴ処理が行われ、並列―直列変換が行われた後、ＣＰが追加される過程が行われる。
【０１２６】
一方、図１４では、このような過程を経て基地局に伝送された信号を受信するための基地局のプロセッサの構成についても示している。
【０１２７】
このように３ＧＰＰ  ＬＴＥシステムでのＳＣ―ＦＤＭＡ伝送のためのプロセッサの構成は、ＭＩＭＯ方式を適用するための構成を含んでいない。したがって、まず、３ＧＰＰ  ＬＴＥシステムでのＭＩＭＯ伝送のための基地局のプロセッサの構成について説明し、これを用いて端末がＳＣ―ＦＤＭＡ方式とＭＩＭＯ方式とを結合してアップリンク信号を伝送できるようにするプロセッサの構成については後で説明する。
【０１２８】
図１５は、３ＧＰＰ  ＬＴＥシステムでＭＩＭＯ方式を用いて基地局がダウンリンク信号を伝送できるようにするプロセッサの構成を示している。
【０１２９】
３ＧＰＰ  ＬＴＥシステムで、基地局は、ダウンリンクで一つ以上のコードワードを伝送することができる。したがって、一つ以上のコードワードは、それぞれ図１４のアップリンクと同様に、スクランブリングモジュール３０１及び変調マッパー３０２を通して複素シンボルとして処理することができる、その後、複素シンボルは、レイヤーマッパー３０３によって複数のレイヤーにマッピングされ、各レイヤーは、プリコーディングモジュール３０４によってチャンネル状態に応じて選択された所定プリコーディング行列と掛けた後、各伝送アンテナに割り当てることができる。このように処理された各アンテナ別の伝送信号は、それぞれ資源要素マッパー３０５によって伝送に用いられる時間―周波数資源要素にマッピングし、その後、ＯＦＤＭ信号生成器３０６を経て各アンテナを介して伝送することができる。
【０１３０】
ただし、図１５のような３ＧＰＰ  ＬＴＥシステムでのダウンリンク信号方式による場合、ＰＡＰＲ又はＣＭ特性が劣化するという問題が発生するおそれがある。したがって、端末が、図１３及び図１４に基づいて説明したように、良好なＰＡＰＲ、ＣＭ特性を維持できるようにするＳＣ―ＦＤＭＡ方式と図１５のＭＩＭＯ方式とを効率的に結合し、上述した実施形態で説明したように良好なＰＡＰＲ、ＣＭ特性を維持できるプリコーディング行列を用いてプリコーディングを行うための端末構成が必要である。
【０１３１】
まず、本発明の好適な一実施形態によって多重アンテナを介してアップリンクで信号を伝送するための端末は、信号送受信用の多重アンテナ（図示せず）を含むと仮定する。また、図１２を参照すると、端末２０は、前記表５に示したような各プリコーディング行列で構成されたコードブックを格納するメモリ２２と、多重アンテナ（図示せず）及びメモリ２２と連結されてアップリンク信号の伝送を処理するプロセッサ２１とを含む。以下、このような構成を有する端末のプロセッサ２１の構成についてより具体的に説明する。
【０１３２】
図１６は、本発明の好適な一実施形態に係る端末のプロセッサの構成を具体的に示した図である。
【０１３３】
図１６に示すように、本発明の好適な一実施形態に係る端末２０のプロセッサは、アップリンク信号を特定ランクに対応する個数のレイヤーにマッピングするレイヤーマッパー１４０１と、所定個数のレイヤー信号のそれぞれにＤＦＴ（Ｄｉｓｃｒｅｔｅ  Ｆｏｕｒｉｅｒ  Ｔｒａｎｓｆｏｒｍ）拡散を行う所定個数のＤＦＴモジュール１４０２と、メモリ２２に格納された前記表５に示すような６個のプリコーディング行列グループのそれぞれから変数が１８０°の位相差を有する２個のプリコーディング行列を選択して得られた１２個のプリコーディング行列で構成されたコードブックから特定プリコーディング行列を選択し、前記ＤＦＴモジュール１４０２からそれぞれＤＦＴ拡散が行われて入力されたレイヤー信号をプリコーディングするプリコーダ１４０３を含むことを提案する。特に、本実施形態では、ＤＦＴモジュール１４０２が各レイヤー信号をそれぞれ拡散し、レイヤー信号のそれぞれを拡散するＤＦＴモジュール１４０２をプリコーダ１４０３の直ぐ前に位置させながら、プリコーダ１４０３のプリコーディング時に各レイヤー信号が一つのアンテナにマッピングされて伝送されるように構成することによって、各レイヤー信号の単一搬送波特性を維持させ、良好なＰＡＰＲ／ＣＭ特性を維持させることを特徴とする。一方、端末２０は、このようにプリコーディングされた信号にＳＣ―ＦＤＭＡシンボル構成のための処理（例えば、ＩＦＦＦモジュール１４０４による時間領域信号生成及びＣＰ付着など）を行い、プリコーディングされた信号を多重アンテナ１４０５を介して基地局に伝送する伝送モジュールをさらに含む。
【０１３４】
一方、プリコーダ１４０３は、メモリ２２に格納されたコードブックから信号伝送に用いるプリコーディング行列を選択してプリコーディングを行い、これら各プリコーディング行列は、多重アンテナのそれぞれの伝送電力及び／又はレイヤーのそれぞれの伝送電力が均等になるように設定されたプリコーディング行列であることが望ましい。
【０１３５】
本実施形態で、多重アンテナ１４０５の個数は４個であると仮定する。また、本発明の一実施形態に係る端末のプロセッサは、特定コードワードがマッピングされるレイヤーを周期的又は非周期的に変更するレイヤー移動機能及び／又は特定レイヤー信号が伝送されるアンテナを周期的又は非周期的に変更するアンテナ移動機能をさらに行うことができる。レイヤー移動機能は、レイヤーマッパー１４０１によってプリコーダ１４０３のプリコーディングとは別途に行うこともでき、プリコーダ１４０３のプリコーディング時にプリコーディング行列の列置換を通して行うこともできる。また、アンテナ移動機能も、プリコーディングとは別途に又はプリコーディング行列の行置換を通して行うことができる。
【０１３６】
以上説明した各実施例は、本発明の各構成要素と特徴が所定形態で結合されたものである。各構成要素又は特徴は、別途の明示的な言及がない限り、選択的なものとして考慮しなければならない。各構成要素又は特徴は、他の構成要素や特徴と結合されない形態で実施可能である。また、一部の構成要素及び／又は特徴を結合して本発明の実施例を構成することも可能である。本発明の各実施例で説明する各動作の順序は変更可能である。いずれかの実施例の一部の構成や特徴は、他の実施例に含まれたり、又は、他の実施例の対応する構成又は特徴に取り替えられる。特許請求の範囲で明示的な引用関係のない各請求項を結合して実施例を構成したり、出願後の補正によって新しい請求項を含ませることが可能であることは自明である。
【０１３７】
本発明に係る実施例は、多様な手段、例えば、ハードウェア、ファームウェア、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１３８】
ファームウェアやソフトウェアによる具現の場合、本発明の一実施例は、以上説明した機能又は各動作を行うモジュール、手順又は関数などの形態で具現することができる。ソフトウェアコードは、メモリユニットに格納されてプロセッサによって駆動され得る。前記メモリユニットは、前記プロセッサの内部又は外部に位置し、既に公知の多様な手段によって前記プロセッサとの間でデータを取り交わすことができる。
【０１３９】
本発明がその精神及び必須的特徴を逸脱しない範囲で他の特定の形態に具体化され得ることは、当業者にとって自明である。したがって、前記の詳細な説明は、全ての面で制限的に解釈してはならなく、例示的なものとして考慮しなければならない。本発明の範囲は、添付の請求項の合理的な解釈によって決定しなければならなく、本発明の等価的範囲内での全ての変更は本発明の範囲に含まれる。
【図１】
0005587976.tif 000051
【図２】
0005587976.tif 000052
【図３】
0005587976.tif 000053
【図４】
0005587976.tif 000054
【図５】
0005587976.tif 000055
【図６】
0005587976.tif 000056
【図７】
0005587976.tif 000057
【図８】
0005587976.tif 000058
【図９】
0005587976.tif 000059
【図１０】
0005587976.tif 000060
【図１１】
0005587976.tif 000061
【図１２】
0005587976.tif 000062
【図１３】
0005587976.tif 000063
【図１４】
0005587976.tif 000064
【図１５】
0005587976.tif 000065
【図１６】
0005587976.tif 000066